(57)【要約】  【課題】必要最小限の部材を用いて簡単な作業でロール体の外周に巻付可能な帯札を提供する。  【解決手段】帯状の帯札本体２と、ロール体Ｒの外周に巻き付けた帯札本体２の巻付状態を維持し得るラベル３とを具備してなり、このラベル３に、ロール体Ｒに関する固有の情報である識別情報Ｉを付した。【選択図】図１
0003110262.tif 000002
【実用新案登録請求の範囲】
【請求項１】
毛糸等の糸体を束ねてなるロール体の外周に巻き付ける帯札であって、
帯状の帯札本体と、前記ロール体の外周に巻き付けた前記帯札本体の巻付状態を維持し得る巻付状態維持部材とを具備してなり、
当該巻付状態維持部材に、前記ロール体又は前記ロール体を構成する前記糸体に関する固有の情報である識別情報を付していることを特徴とする帯札。
【請求項２】
前記巻付状態維持部材が、オモテ面に前記識別情報を付し且つウラ面に粘着層を形成したラベルであり、当該ラベルを、前記巻付状態において露出する帯札本体の一端部を跨ぐ位置に前記粘着層を利用して貼着している請求項１記載の帯札。
【考案の詳細な説明】
【技術分野】
【０００１】
本考案は、毛糸等の糸体を束ねたロール体の外周に巻き付けられる帯札に関するものである。
【背景技術】
【０００２】
このような帯札は、例えば紙製の帯札本体をロール体の外周に巻き付け、この帯札本体の巻付状態を維持するために、帯札本体の両端部同士或いは一方の端部と他の部位とを重合させた部位に糊等の接着剤を塗布しているのが通例である。ところで、このような帯札本体には、ロール体又はロール体を構成する糸体に関する固有の情報（品名、品番、色、価格等）を表示したラベルを所定部位に貼着し、使用者（購入者）がラベルを見ることによってロール体に関する情報を把握できるようにしている。なお、上述したような従来技術は、現場において適宜実施されるものであり、特許文献などとして開示されているものはない。
【考案の開示】
【考案が解決しようとする課題】
【０００３】
しかしながら、このようなものは、帯札本体の端部同士等、巻付状態において重合する部位同士を接着剤を用いて留める作業とは別に、ラベルを帯札本体の所定部位に貼着する作業が必要であるため、ロール体に対する帯札の取付作業が面倒であり、今ひとつ実用性に欠けるものである。
【０００４】
一方、接着材を用いない態様として、帯札本体の一方の端部に爪部を形成するとともに、他方の端部に爪部が係合可能な開口を形成し、これら爪部及び開口を相互に係合させることにより帯札本体の巻付状態を確保するようにした態様も採用されているが、この場合、帯札本体に爪部及び開口を形成するために特別な加工を施さなければならず、やはり製作コストが嵩む上、これら爪部及び開口を相互に係合させる作業も煩雑になるという不具合が生じる。
【０００５】
また、帯札本体に前記識別情報を直接印字し、この帯札本体の端部同士等を接着剤等を用いて留めることにより巻付状態を確保する態様も考えられているが、この場合、帯札本体自体が巻付作業前に既に各ロール体の種類に対応するように分類されてしまい、各種帯札本体の個数をロール体の個数に正確に対応させなければ他のロール体に適用不可能な帯札本体自体が不要に余るという不具合が生じる。このような不具合は、前記帯札本体の所定部位に前記ラベルを予め貼着した場合にも同様に生じ得るものである。
【０００６】
本考案は、このような課題に着目してなされたものであって、主たる目的は、必要最小限の部材を用いて簡単な作業でロール体の外周に巻付可能な帯札を提供することにある。
【課題を解決するための手段】
【０００７】
すなわち、本考案の帯札は、毛糸等の糸体を束ねてなるロール体の外周に巻き付ける帯札であって、帯状の帯札本体と、前記ロール体の外周に巻き付けた前記帯札本体の巻付状態を維持し得る巻付状態維持部材とを具備してなり、この巻付状態維持部材に、前記ロール体又はロール体を構成する糸体に関する固有の情報である識別情報を付していることを特徴とする。
【０００８】
このようなものであれば、巻付状態維持部材が、巻付状態を維持し得る機能に加え、識別情報を表示する機能をも有するため、従来のように、帯札本体を留める作業とは別に識別情報を付したラベルを帯札本体に貼付する作業を行う必要がなく、また、帯札本体に巻付状態を確保するための特別な加工を施す必要がないため、製作コストの削減及び作業の効率化を有効に図ることができる。また、帯札本体には、前記識別情報を付していないため、この帯札本体を各ロール体に共通して適用することができ、この帯札本体の巻付状態を、各ロール体に対応する識別情報を付した巻付状態維持部材を利用して確保するようにしているため従来のように、他のロール体に適用不可能な帯札本体が不要に余るという事態が生じ得ず、広い汎用性を付与することができる。
【０００９】
特に、前記巻付状態維持部材が、オモテ面に前記識別情報を付し且つウラ面に粘着層を形成したラベルであり、このラベルを、前記巻付状態において露出する帯札本体の一端部を跨ぐ位置に前記粘着層を利用して貼着しているため、巻回状態維持部材を簡素なものを用いて形成することができるとともに、帯札本体への取付作業も容易に行うことができ、実用性に優れたものとなる。
【考案の効果】
【００１０】
以上説明したように本考案によれば、巻付状態維持部材が、巻付状態を維持し得る機能と、識別情報を表示する識別表示機能とを有するため、この巻付状態維持部材とは別に、識別情報を付したラベル等を用意する必要がなく、部品点数の削減に資する。また、巻付状態維持部材とは別部材のラベル等を帯札本体に貼付する作業を省略することができ、作業の効率化も有効に図ることができる。しかも、各ロール体に対応して巻付状態維持部材を適宜変更すればよく、帯札本体自体は各ロール体に共通して適用することができ、汎用性に優れたものとなる。
【考案を実施するための最良の形態】
【００１１】
以下、本考案の一実施形態を、図面を参照して説明する。
【００１２】
本実施形態に係る帯札１は、図１に示すように、毛糸等の糸体Ｒａを束ねてなるロール体Ｒの外周に巻付可能なものである。なお、同図において、概略円筒状をなすロール体Ｒを示しているが、これに限らず概略球状や概略平板状状等どのような外観視形状を有するロール体Ｒであってもよい。また、ロール体Ｒを構成する糸体Ｒａは、毛糸・綿糸等比較的短い繊維を紡績したもの、又は生糸・合成繊維等比較的長い繊維を紡績したもの等その素材は特に問わない。
【００１３】
このようなロール体Ｒに巻付可能な帯札１は、図１及び図２に示すように、帯状の帯札本体２（図１においてパターンを付したもの）と、ロール体Ｒの外周に巻き付けた帯札本体２の巻付状態を維持し得る巻付状態維持部材たるラベル３とを備えたものである。
【００１４】
帯札本体２は、紙素材を略長尺の矩形状に切断加工したものであり、オモテ面２１に各ロール体Ｒに共通の情報（例えば、商品名、洗濯方法、糸長、素材等）を印字したものである。
【００１５】
ラベル３は、オモテ面３１に各ロール体Ｒに関する固有の情報である識別情報Ｉを付し、ウラ面に粘着層を形成したものである。識別情報Ｉは、ロール体Ｒ及びロール体Ｒａを構成する糸Ｒａに関する固有の情報であり、例えば、品名、種類、色、ロット、品番、価格等が挙げられる。本実施形態では、識別情報Ｉを表記する一態様としてバーコードを採用しており、ラベル３のオモテ面３１にバーコードの他、文字、図形或いは記号を用いて識別情報Ｉを印字している。なお、このラベル３は、図示しない剥離紙の一方の面に縦横マトリクス状に複数配置され、各オモテ面３１にそれぞれ識別情報Ｉを印字した後、個別に前記剥離紙から剥がした状態で接着可能となる構成とした周知のものである。
【００１６】
次に、このような帯札本体２及びラベル３からなる帯札１をロール体Ｒの外周に巻き付ける手順について説明する。
【００１７】
先ず、帯札本体２をロール体Ｒの外周に沿って巻き付けるとともに、帯札本体２の巻き方向に対して横断する一方の端部２ａを帯札本体２の他の部位に重合させる。なお、この重合度合いは、ロール体Ｒの外周寸法によって異なるものである。次いで、予めオモテ面３１に識別情報Ｉを印字したラベル３を、帯札本体２をロール体Ｒに巻き付けた巻付状態において露出する帯札本体２の一端部２ａを跨ぐ位置に粘着層を利用して貼着する。以上の手順により、帯札１をロール体Ｒの外周に安定した巻付状態で配することができる。
【００１８】
このように本実施形態に係る帯札１は、ラベル３に、ロール体Ｒに関する固有の情報である識別情報Ｉを付すことにより、このラベル３が、帯札本体２の巻付状態を維持し得る機能に加え、識別情報Ｉを表示する識別表示機能をも発揮し、このラベル３を帯札本体２の一端部２ａを跨ぐ位置に貼着するという簡単な作業のみで、帯札本体２の安定した巻付状態を維持することができるとともに、識別情報Ｉを表示させることが可能となり、ロール体Ｒに対する帯札１の巻付作業を極めて効率良く行うことができ、コストの削減を有効に図ることができる。
【００１９】
また、帯札本体２には、各ロール体Ｒに共通の情報のみを印字しているため、ロール体Ｒの種類にとらわれることなく、全てのロール体Ｒに共通の帯札本体２を適用することができ、ラベル３のみを各ロール体Ｒに対応するよう適宜選択・変更すればよく、汎用性に優れたものとなる。しかも、従来のように、識別情報を直接印字した帯札本体又は識別情報を印字したラベルを所定部位に貼着してなる帯札本体を用いた場合に生じ得る不具合、すなわち、帯札本体自体が巻付作業前に既に種類毎に分類され、各種帯札本体の個数をロール体の個数に正確に対応させなければ他のロール体に適用不可能な帯札本体自体が不要に余剰するという不具合を好適に回避することができる。
【００２０】
なお、本考案は、以上に詳述した実施形態に限られるものではない。
【００２１】
例えば、帯札本体は、略矩形状なものに限らず、適宜形状等を設計変更したものを適用してもよく、また紙製の他、合成樹脂製のものを適用しても構わない。
【００２２】
また、巻付状態維持手段としてラベルの代わりに、巻付状態にある帯札本体のオモテ面に周回可能な弾性を有するバンドを用いてもよい。このようなものを適用した場合、バンドの所定部位に前記識別情報を印字等により表記すれば、前記実施形態と略同様に、バンドを帯札本体に巻くという簡単な作業によって、帯札本体の巻付状態を維持するとともに識別情報を表示することができ、帯札本体を留める作業とは別に識別情報を付したラベルを帯札本体に貼付する作業を行う必要がない。
【００２３】
その他、各部の具体的構成についても上記実施形態に限られるものではなく、本考案の趣旨を逸脱しない範囲で種々変形が可能である。
【図面の簡単な説明】
【００２４】
【図１】本発明の一実施形態に係る帯札を巻き付けたロール体の全体斜視図。
【図２】同実施形態に係る帯札を構成する帯札本体及びラベル部材の斜視図。
【符号の説明】
【００２５】
１…帯札
２…帯札本体
３…巻付状態維持部材（ラベル）
３１…オモテ面
３２…ウラ面
３ａ…端部
Ｉ…識別情報
Ｒ…ロール体
Ｒａ…糸
【図１】
0003110262.tif 000003
【図２】
0003110262.tif 000004